(57)【特許請求の範囲】
【請求項１】
使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、サドル部、ペダル軸、設置部の中心部を略鉛直線上に配置して成ることを特徴とする一輪車型トレーニングマシン。
【請求項２】
使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、ペダル部に負荷を与える負荷装置とを備え、更に、負荷装置をペダル軸の下方に配置して成ることを特徴とする一輪車型トレーニングマシン。
【請求項３】
使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、ペダル部に負荷を与える負荷装置とを備え、更に、ペダルが上下死点になる位置で、一時的に負荷が軽くなる手段を備えて成ることを特徴とする一輪車型トレーニングマシン。
【請求項４】
使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、後方倒れ防止部を備えて成ることを特徴とする一輪車型トレーニングマシン。
【請求項５】
使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、トレーニング内容を表示する表示器を支持部のフレームに傾倒可能に設けて成ることを特徴とする一輪車型トレーニングマシン。
【請求項６】
使用者が足を置くペダル部と、着座するサドル部と、これらを支え傾倒可能とした支持部と、床面への設置部とを備え、設置部のベースの底面の中心部が円形平面となり、その周辺部が略球面部となり、支持部の傾倒を抑制する手段を備え、更に、支持部の傾倒を抑制する手段は、ベースの底面の略球面部を収容するリング状敷物であることを特徴とする一輪車型トレーニングマシン。
【請求項７】
支持部の傾倒を抑制する手段であるリング状敷物は弾性体にて形成して成ることを特徴とする請求項６記載の一輪車型トレーニングマシン。
【発明の詳細な説明】
【０００１】
【発明の属する技術分野】
本発明は、一輪車型トレーニングマシンに関し、詳しくは、一輪車型トレーニングマシンで、安定的なトレーニングをおこなえるようにしようとする技術に係るものである。
【０００２】
【従来の技術】
従来、一輪車型トレーニングマシンにおいては、使用者が足を置くペダル部と、着座するサドル部と、これらを支え傾倒可能とした支持部を備え、ペダルを負荷に抗して踏みながらトレーニングマシンを傾倒することでバランス感覚を鍛えるものである。
【０００３】
【発明が解決しようとする課題】
ところで、傾倒可能としている一輪車型トレーニングマシンにおいては、バランスを崩しやすく、倒れやすく、トレーニングし難いという問題があった。
【０００４】
本発明はこのような問題に鑑みてなされたものであり、バランス感覚を鍛えながら倒れ難く安定的なトレーニングをおこなえる一輪車型トレーニングマシンを提供することを課題とするものである。
【０００５】
【課題を解決するための手段】
請求項１においては、使用者が足を置くペダル部１と、着座するサドル部２と、これらを支え傾倒可能とした支持部３と、床面への設置部とを備え、設置部４のベース１５の底面３４の中心部が円形平面となり、その周辺部が略球面部４１となり、略球面部４１と床面との間に支持部３の傾倒機能をなくす切替部８を外し自在に備え、更に、サドル部２、ペダル軸５、設置部４の中心部を略鉛直線上に配置していることを特徴とするものである。このような構成によれば、切替部８において支持部３の傾倒機能を抑制することができ、トレーニングマシンの傾倒を抑制して倒れるのを防止することができ、初心者や高齢者でも、一輪車型トレーニングマシンＡを安心して使用することができる。更に、体重がかかるサドル部２の中心、水平方向のペダル軸５の左右方向の中心、及び、トレーニングマシンを床面等へ設置する設置部４の中心が略鉛直線上に配置されていて、トレーニングマシンの安定感を増すことができ、バランス感覚を鍛えながらバランスを崩し難くして、一輪車型トレーニングマシンＡによるトレーニングを安定的におこなうことができる。
【０００６】
請求項２においては、使用者が足を置くペダル部１と、着座するサドル部２と、これらを支え傾倒可能とした支持部３と、床面への設置部４とを備え、設置部４のベース１２の底面３４の中心部が円形平面となり、その周辺部が略球面部４１となり、略球面部４１と床面との間に支持部３の傾倒機能をなくす切替部８を外し自在に備え、ペダル部１に負荷を与える負荷装置６とを備え、更に、負荷装置６をペダル軸５の下方に配置してあることを特徴とするものである。このような構成によれば、切替部８において支持部３の傾倒機能を抑制することができ、トレーニングマシンの傾倒を抑制して倒れるのを防止することができ、初心者や高齢者でも、一輪車型トレーニングマシンＡを安心して使用することができる。更に、重量比率が大きい負荷装置６はペダル軸５の下方にあってトレーニングマシンの重心を低くすることができて安定感を増すことができる。
【０００７】
請求項３においては、使用者が足を置くペダル部１と、着座するサドル部２と、これらを支え傾倒可能とした支持部３と、床面への設置部４とを備え、設置部４のベース１２の底面３４の中心部が円形平面となり、その周辺部が略球面部４１となり、略球面部４１と床面との間に支持部３の傾倒機能をなくす切替部８を外し自在に備え、ペダル部１に負荷を与える負荷装置６とを備え、更に、ペダル７が上下死点になる位置で、一時的に負荷が軽くなる手段を備えていることを特徴とするものである。このような構成によれば、切替部８において支持部３の傾倒機能を抑制することができ、トレーニングマシンの傾倒を抑制して倒れるのを防止することができ、初心者や高齢者でも、一輪車型トレーニングマシンＡを安心して使用することができる。更に、力を加え難いペダル７の上死点及び下死点において負荷が軽くなり、ペダル７の上死点及び下死点において無理に力を加える必要がなくなり、バランスを崩し難くなる。
【００１０】
請求項４においては、使用者が足を置くペダル部１と、着座するサドル部２と、これらを支え傾倒可能とした支持部３と、床面への設置部４とを備え、設置部４のベース１２の底面３４の中心部が円形平面となり、その周辺部が略球面部４１となり、略球面部４１と床面との間に支持部３の傾倒機能をなくす切替部８を外し自在に備え、更に、後方倒れ防止部９を備えていることを特徴とするものである。このような構成によれば、切替部８において支持部３の傾倒機能を抑制することができ、トレーニングマシンの傾倒を抑制して倒れるのを防止することができ、初心者や高齢者でも、一輪車型トレーニングマシンＡを安心して使用することができる。
更に、後方倒れ防止部９によって後方への倒れを防止することができ、一輪車型トレーニングマシンＡを安心して使用することができる。
【００１１】
請求項５においては、使用者が足を置くペダル部１と、着座するサドル部２と、これらを支え傾倒可能とした支持部３と、床面への設置部４とを備え、設置部４のベース１２の底面３４の中心部が円形平面となり、その周辺部が略球面部４１となり、略球面部４１と床面との間に支持部３の傾倒機能をなくす切替部８を外し自在に備え、更に、トレーニング内容を表示する表示器１１を支持部３のフレーム１０に傾倒可能に設けていることを特徴とするものである。このような構成によれば、切替部８において支持部３の傾倒機能を抑制することができ、トレーニングマシンの傾倒を抑制して倒れるのを防止することができ、初心者や高齢者でも、一輪車型トレーニングマシンＡを安心して使用することができる。更に、表示器１１の位置を傾倒させて種々の位置に変位させることができ、使用において表示器１１を楽に見ることができ、無理に覗き込むことで、バランスを崩すようなことがなく、かつ、表示器１１がフレキシブルな手段によって傾倒可能に支持する場合に、不測にトレーニングマシンが倒れた場合にも表示器１１を損傷するのを防止することができる。
【００１４】
請求項６においては、使用者が足を置くペダル部１と、着座するサドル部２と、これらを支え傾倒可能とした支持部３と、床面への設置部４とを備え、設置部４のベース１２の底面３４の中心部が円形平面となり、その周辺部が略球面部４１となり、支持部３の傾倒を抑制する手段４０を備え、更に、支持部３の傾倒を抑制する手段４０は、ベース１２の底面の略球面部４１を収容するリング状敷物４４であることを特徴とするものである。このような構成によれば、傾倒を抑制する手段４０により支持部３の傾倒機能を抑制することができ、トレーニングマシンの傾倒を抑制して倒れるのを防止することができ、初心者や高齢者でも、一輪車型トレーニングマシンＡを安心して使用することができ、かつ、支持部３の傾倒を抑制する手段４０はリング状敷物４４であることから、機械的に傾倒を防止する構成に比べて構成を簡素化でき、特に、設置部４の下面の略球面部４１を収容することから、リング状敷物４４のリング形状が変形し難くて使いやすい。
【００１５】
請求項７においては、支持部３の傾倒を抑制する手段４０であるリング状敷物４４は弾性体にて形成していることを特徴とするものである。このような構成によれば、弾性体にて形成したリング状敷物４４が弾性変形して設置部４の底面に良好に沿うことができる。
【００１８】
【発明の実施の形態】
以下、本発明の実施の形態を説明する。図１は正面図である。図２は平面図である。図３は側面図である。
【００１９】
使用者の臀部を支えるサドル部２がフレーム１０を介してベース１２に連結してあり、これら全てを含む支持部３としての本体１３の下に傾倒防止をおこなう固定リング１４が取り外し自在に設置されている。固定リング１４は円形である。この状態では固定リング１４によって本体１３が傾倒することがない。つまり、ベース１２の底面３４の中心部がφ７０の円形平面、その周辺部のφ３００までが略球面部４１となっているのであり、固定リング１４を外すと本体１３が傾倒可能となるものである。
【００２０】
フレーム１０とベース１２にプレート１５が固定され、フレーム１０の強度を補っている。プレート１５にはベアリングホルダ１６、ベアリング１７によってペダル軸５が回転可能に設けられている。ペダル軸５には大径プーリ１８が固定されるとともにクランク状に形成されてクランクアーム１９の先端にペダル７を回転自在に取り付けている。
【００２１】
プレート１５には負荷軸２０及びマグネット負荷２１が設けられており、負荷プーリ２２及びこれに固定されたホイール２３が負荷軸２０に固定されて一体的に回転可能となっている。負荷プーリ２２にはワンウェイクラッチが内蔵されていて、逆回転は空回りするようになっている。
【００２２】
大径プーリ１８と負荷プーリ２２にはベルト２４が巻回されて連結されていて、大径プーリ１８の回転力がベルト２４を介してホイール２３を高速回転させ、固定されたマグネット負荷２１との間に磁気による負荷トルク力が発生するようにしている。これによりペダル７を回転させるには、負荷トルク力に応じた回転力（踏み込み力）をペダル７に加える必要があり、筋力トレーニングになるものである。
【００２３】
プレート１５にはテンションアーム２５が揺動自在に設けられ、テンションプーリ２６がテンションバネ２７のバネ力で、ベルト２４を押し付けてベルト２４の空回りを防止するするようにして、大径プーリ１８の回転力を負荷プーリ２２にスリップすることなく伝えるようにしている。又、プレート１５にテンションねじ２８が設けられ、テンションねじ２８による調整によって負荷軸２０の位置を調整して組立て不良を解消するとともに、ベルト長等の寸法のばらつきを吸収している。
【００２４】
フレーム１０に固定されている受けパイプ４６にはサドル調整器２９が設けられ、調整レバー３０を回転させることにより、受けパイプ４６に挿入したサドル部２側のパイプ４５の挿入深さを固定してサドル部２の高さ調整を可能にしている。本体１３にはカバー３１が設けられ、回転部分等を保護している。
【００２５】
このように、使用者が足を置くペダル部１と、着座するサドル部２と、これらを支え傾倒可能とした支持部３と、床面等への設置部４とを備え、更に、サドル部２、ペダル軸５、設置部４の中心部を略鉛直線上に配置していることから、体重がかかるサドル部２の中心、水平方向のペダル軸５の左右方向の中心、及び、トレーニングマシンＡを床面等へ設置する設置部４の中心を略鉛直線上に配置されていて、トレーニングマシンＡの安定感を増すことができ、バランスを崩し難くして、一輪車型トレーニングマシンＡによるトレーニングを安定的におこなうことができるのである。
【００２６】
更に、負荷装置６をペダル軸５の下方に配置してあることから、重量比率が大きい負荷装置６はペダル軸５の下方にあってトレーニングマシンの重心を低くすることができて安定感を増すことができるのである。
【００２７】
更に、ペダル７が上下死点になる位置で、一時的に負荷が軽くなる手段を設けているものであり、力を加え難いペダル７の上死点及び下死点において負荷が軽くなり、ペダル７の上死点及び下死点において無理に力を加える必要がなくなり、バランスを、一層、崩し難くなるのである。
【００２８】
ペダル７が上下死点になる位置で、一時的に負荷が軽くなる手段としては、例えば、図７に示すように、ブレーキパッドとなるマグネット３７が導体にて形成されたホイール２３の外周部の一部に跨ぐように配設され、ホイール２３の周部の一部が切り欠かれて例えば略直線状部３８に形成されてホイール２３がマグネット３７を横切る断面積を小になるようにし、かつ、このような略直線状部３８をペダル７、７の上下死点の位置に位相を合わせてある。
【００２９】
しかして、マグネット３７の磁界を導体であるホイール２３の一部が通過する場合にうず電流が生じるのであり、かかるうず電流に起因してホイール２３が回転する方向とは逆方向に作用力が生じてブレーキ力が発生して負荷となるものであり、又、マグネット３７による磁着力によってもブレーキ力が生じるのであり、したがって、略直線状部３８においてはマグネット３７の磁界を横切るホイール２３部分、つまり、導体部分が小になってブレーキ力が小になり、ペダル７、７の上下死点の位置における踏み加重（負荷）が小になってペダル７、７の上下死点における負荷を軽くするのである。このようにペダル７、７の上下死点で、負荷を軽くする構成は他に変更することができるものである。
【００３０】
更に、ペダル７を踏む際の最大負荷トルクを１〜３ｋｇ・ｍの範囲内に制限していることから、最大負荷トルクを比較的小にできるのであり、バランス感覚を鍛える際の注力を継続する余裕ができるのである。
【００３１】
更に、固定リング１４をベース１２から取り外し自在に設けて支持部３の傾倒機能をなくす切替部８としていることから、支持部３の傾倒機能を抑制することができ、トレーニングマシンＡの傾倒を抑制して倒れるのを防止することができ、初心者や高齢者でも、一輪車型トレーニングマシンを安心して使用することができるものである。
【００３２】
更に、図８（ａ）（ｂ）に示すように、ベース１２の裏面後方部に突起３９を形成していて、固定リング１４を外した場合にも突起３９が接地することで、トレーニングマシンＡが後方に倒れるのを防止するようにしている。このように、後方倒れ防止部９を備えていることから、後方倒れ防止部９によって後方への倒れを防止することができ、一輪車型トレーニングマシンＡを安心して使用することができるのである。突起３９はベース１２に一体的に形成しても、別体のものを取付るようにしてもよいものである。
【００３３】
図６は同上の他の実施の形態を示し、但し、本実施の形態の基本構成は上記実施の形態と共通であり、共通する部分には同一の符号を付して説明は省略する。
【００３４】
本実施の形態においては、表示器１１を本体１３に取り付ける表示器固定具３２はフレキシブルパイプを使用していて、大径プーリ１８の回転数、換算した走行距離、負荷力等のトレーニング内容を表示する表示器１１を支持部３のフレーム１０に傾倒可能に設けているものである。
【００３５】
本実施の形態においては、表示器１１の位置を傾倒させて種々の位置に変位させることができ、使用において表示器１１を楽に見ることができ、無理に覗き込むことで、バランスを崩すようなことがなく、かつ、表示器１１がフレキシブルな手段によって傾倒可能に支持していることから、不測にトレーニングマシンが倒れた場合にも表示器１１を損傷するのを防止することができるのである。
【００３６】
更に、本実施の形態においては、負荷調整器３５がプレート１５に固定され、ワイヤー３６によってマグネット負荷２１に接続されている。かかる負荷調整器３５を操作することによってマグネット負荷２１とホイール２３とのギャップを微調整してマグネット負荷２１の負荷トルク力を変更することができるようにしている。このような負荷調整のための構成は他に変更することができる。
【００３７】
図９はベース１２の斜視図であり、図１３はベース１２、つまりサドル部２を支持している支持部３の傾倒を抑制する手段４０の動作説明図であり、支持部３の傾倒を抑制するための手段４０は、ペダル部１を踏むトレーニングのみをおこなう場合に、支持部３の傾倒を抑制するためのものであり、扱いやすくしている。以下、詳述する。
【００３８】
略円形になっているベース１２の前半部で、周方向を３等分する位置の二箇所においてスライド板５６をベース１２の底面よりも浮上させて一体的に形成している。図１０に示すように、スライド板５６には外縁から中心に向けて長い長孔５７を形成してあり、図１１に示すように、長孔５７の長さ方向の両端部には例えばスライド板５６の裏面側に開放された凹溝５８が形成されている。図１３に示すように、傾倒防止体６２には小径部５９が形成され、この小径部５９が長孔５７に挿通されて傾倒防止体６２が長孔５７及び左右のガイド６０、６０に沿ってスライド自在に保持されている。小径部５８には大径のつまみ部６３が形成され、つまみ部６３とスライド板５６との間にスプリング６１が介装されて傾倒防止体６２を上方に付勢している。傾倒防止体６２には突起６４を形成している。ベース１２の後半部の中央部には図１１で示すような突条３９ａが形成されていて常に床面に当接して後方への傾倒を防止している。
【００３９】
しかして、つまみ部６３をスプリング６１に抗して押して傾倒防止体６２を押し下げ、スライド板５６に沿って移動させ、移動終端部において手を離すと傾倒防止体６２がスプリング６１にて上方に浮上されて突起６４が凹溝５８に係入し、傾倒防止体６２を図１３（ａ）に示す傾倒抑制位置、或いは、同図（ｃ）に示す傾倒を許容する位置とに位置決め可能にしている。
【００４０】
このように、支持部３の傾倒を抑制する傾倒防止体６２を設置部４にスライド自在に保持していることから、傾倒防止体６２により支持部３の傾倒機能を抑制することができ、トレーニングマシンの傾倒を抑制して倒れるのを防止することができ、初心者や高齢者でも、一輪車型トレーニングマシンＡを安心して使用することができ、かつ、傾倒防止体６２は設置部４にスライド自在に保持されていることから、別体とする構成のように位置合わせをしなくてもよく、使いやすいものである。このような傾倒防止体６２のスライド支持構成は種々設計変更可能である。
【００４１】
図１４は、支持部３の傾倒を抑制する手段４０の他の参考例を示し、本参考例においては、ベース１２の下面の略球面部４１を収容する凹所４２を備えた凹状敷物４３としたものである。
【００４２】
本参考例においては、支持部３の傾倒を抑制する手段４０はベース１２の下面の略球面部４１を収容する凹所４２を備えた凹状敷物４３であることから、機械的に傾倒を防止する構成に比べて構成を簡素化できる。
【００４３】
図１５は、支持部３の傾倒を抑制する手段４０の実施の形態を示し、本実施の形態においては、設置部４の下面の略球面部４１を収容するリング状敷物４４としたものである。
【００４４】
本実施の形態においては、支持部３の傾倒を抑制する手段４０はリング状敷物４４であることから、機械的に傾倒を防止する構成に比べて構成を簡素化でき、特に、リング状敷物４４のリング形状が変形し難くて使いやすいものである。
【００４５】
このような凹状敷物４３又はリング状敷物４４は弾性体にて形成することが好ましく、弾性体にて形成した凹状敷物４３又はリング状敷物４４が弾性変形して設置部４の底面に良好に沿うことができるものである。このような凹状敷物４３又はリング状敷物４４は床などに固定しておいてもよいものである。
【００４６】
ところで、図１、図３及び図１６に示すように、フレーム１０に受けパイプ４６が溶接され、受けパイプ４６にサドル部２側のパイプ４５が差し込まれ、差し込み深さを変更してサドル調整器２９にて固定することで、サドル部２の高さ調整をおこなえるようにしている。受けパイプ４６の下端部に内径を小にする突起４７を例えば溶接して設け、突起４７にパイプ４５の下端が当接可能にしている。
【００４７】
このような構成によれば、サドル部２側のパイプ４５は受けパイプ４６の下端部の突起４７に支持されて受けパイプ４６を貫通しないことから、人が触れて指詰めが生じるようなことがなく、安全性を高めることができるものである。
【００４８】
この場合、図１７に示すように、受けパイプ４６の下端部に内径を小に絞り加工して小径部４８を形成し、小径部４８にパイプ４５の下端が当接可能にして、サドル部２側のパイプ４５が受けパイプ４６を貫通しないようにすることから、人が触れて指詰めが生じるようなことがなく、安全性を高めることができる。更に、小径部４８は絞り加工にて形成されていることから、ストッパーとして別部品の追加や溶接等の後加工の必要がなくてよい。又、受けパイプ４６をフレーム１０に付設した円筒状の首部５３への挿入が容易でよい。
【００４９】
ところで、ベルト２４による伝動に代えてチェーン伝動形態を採用してもよいものであり、図１８乃至図２０はチェーン５０を伝動系に採用した一輪車型トレーニングマシンＡを示している。共通する部分には同一の符号を付している。
【００５０】
【発明の効果】
請求項１においては、使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、サドル部、ペダル軸、設置部の中心部を略鉛直線上に配置しているから、切替部において支持部の傾倒機能を抑制することができ、トレーニングマシンの傾倒を抑制して倒れるのを防止することができ、初心者や高齢者でも、一輪車型トレーニングマシンを安心して使用することができる。更に、体重がかかるサドル部の中心、水平方向のペダル軸の中心、及び、トレーニングマシンを床面等へ設置する設置部の中心を略鉛直線上に配置されていて、トレーニングマシンの安定感を増すことができ、バランス感覚を鍛えながらバランスを崩し難くして、一輪車型トレーニングマシンによるトレーニングを安定的におこなうことができるという利点がある。
【００５１】
請求項２においては、使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、ペダル部に負荷を与える負荷装置とを備え、更に、負荷装置をペダル軸の下方に配置してあるから、切替部において支持部の傾倒機能を抑制することができ、トレーニングマシンの傾倒を抑制して倒れるのを防止することができ、初心者や高齢者でも、一輪車型トレーニングマシンを安心して使用することができる。更に、重量比率が大きい負荷装置はペダル軸の下方にあってトレーニングマシンの重心を低くすることができて安定感を増すことができるという利点がある。
【００５２】
請求項３においては、使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、ペダル部に負荷を与える負荷装置とを備え、更に、ペダルが上下死点になる位置で、一時的に負荷が軽くなる手段を備えているから、切替部において支持部の傾倒機能を抑制することができ、トレーニングマシンの傾倒を抑制して倒れるのを防止することができ、初心者や高齢者でも、一輪車型トレーニングマシンを安心して使用することができる。更に、力を加え難いペダルの上死点及び下死点において負荷が軽くなり、ペダルの上死点及び下死点において無理に力を加える必要がなくなり、バランスを崩し難くなるという利点がある。
【００５５】
請求項４においては、使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、後方倒れ防止部を備えているから、切替部において支持部の傾倒機能を抑制することができ、トレーニングマシンの傾倒を抑制して倒れるのを防止することができ、初心者や高齢者でも、一輪車型トレーニングマシンを安心して使用することができる。更に、後方倒れ防止部によって後方への倒れを防止することができ、一輪車型トレーニングマシンを安心して使用することができるという利点がある。
【００５６】
請求項５においては、使用者が足を置くペダル部と、着座するサドル部と、これらを支え傾倒可能とした支持部と、床面への設置部とを備え、設置部のベースの底面の中心部が円形平面となり、その周辺部が略球面部となり、略球面部と床面との間に支持部の傾倒機能をなくす切替部を外し自在に備え、更に、トレーニング内容を表示する表示器を支持部のフレームに傾倒可能に設けているから、切替部において支持部の傾倒機能を抑制することができ、トレーニングマシンの傾倒を抑制して倒れるのを防止することができ、初心者や高齢者でも、一輪車型トレーニングマシンを安心して使用することができる。更に、表示器の位置を傾倒させて種々の位置に変位させることができ、使用において表示器を楽に見ることができ、無理に覗き込むことで、バランスを崩すようなことがなく、かつ、表示器がフレキシブルな手段によって傾倒可能に支持する場合に、不測にトレーニングマシンが倒れた場合にも表示器を損傷するのを防止することができるという利点がある。
【００５９】
請求項６においては、使用者が足を置くペダル部と、着座するサドル部と、これらを支え傾倒可能とした支持部と、床面への設置部とを備え、設置部のベースの底面の中心部が円形平面となり、その周辺部が略球面部となり、支持部の傾倒を抑制する手段を備え、更に、支持部の傾倒を抑制する手段は、ベースの底面の略球面部を収容するリング状敷物であるから、傾倒を抑制する手段により支持部の傾倒機能を抑制することができ、トレーニングマシンの傾倒を抑制して倒れるのを防止することができ、初心者や高齢者でも、一輪車型トレーニングマシンを安心して使用することができ、かつ、支持部の傾倒を抑制する手段はリング状敷物であることから、機械的に傾倒を防止する構成に比べて構成を簡素化でき、特に、リング状敷物のリング形状が変形し難くて使いやすいという利点がある。
【００６０】
請求項７においては、請求項６の効果に加えて、支持部の傾倒を抑制する手段であるリング状敷物は弾性体にて形成しているから、弾性体にて形成したリング状敷物が弾性変形して設置部の底面に良好に沿うことができるという利点がある。
【図面の簡単な説明】
【図１】本発明の実施の一形態の正面図である。
【図２】同上の平面図である。
【図３】同上の側面図である。
【図４】同上の他の実施の形態の正面図である。
【図５】同上の平面図である。
【図６】同上の側面図である。
【図７】同上のペダルの上下死点において負荷力を軽減する構成を示す説明図であり、（ａ）（ｂ）は正面図、（ｃ）は断面図である。
【図８】同上の後方倒れ防止部を示し、（ａ）は概略斜視図、（ｂ）は概略側面図である。
【図９】同上のベースの斜視図である。
【図１０】同上のベースの平面図である。
【図１１】同上のベースの底面図である。
【図１２】図１０のＡ−Ａ線断面図である。
【図１３】同上の傾倒を抑制する手段の参考例を示し、（ａ）（ｂ）（ｃ）は説明図である。
【図１４】同上の傾倒を防止する手段の他の参考例を示し、（ａ）は説明図、（ｂ）は斜視図である。
【図１５】同上の傾倒を防止する手段の実施の形態を示し、（ａ）は説明図、（ｂ）は斜視図である。
【図１６】同上のサドル部側のパイプを支持する構成の説明図である。
【図１７】同上のサドル部側のパイプを支持する構成の他の参考例の説明図である。
【図１８】同上の他の実施の形態の一部破断した全体正面図である。
【図１９】同上の一部破断した全体背面図である。
【図２０】同上の一部破断した全体側面図である。
【符号の説明】
１  ペダル部
２  サドル部
３  支持部
４  設置部
５  ペダル軸
６  負荷装置
７  ペダル
８  切替部
９  後方倒れ防止部
１０  フレーム
１１  表示器
【図１】
0003899838.tif 000002
【図２】
0003899838.tif 000003
【図３】
0003899838.tif 000004
【図４】
0003899838.tif 000005
【図５】
0003899838.tif 000006
【図６】
0003899838.tif 000007
【図７】
0003899838.tif 000008
【図８】
0003899838.tif 000009
【図９】
0003899838.tif 000010
【図１０】
0003899838.tif 000011
【図１１】
0003899838.tif 000012
【図１２】
0003899838.tif 000013
【図１３】
0003899838.tif 000014
【図１４】
0003899838.tif 000015
【図１５】
0003899838.tif 000016
【図１６】
0003899838.tif 000017
【図１７】
0003899838.tif 000018
【図１８】
0003899838.tif 000019
【図１９】
0003899838.tif 000020
【図２０】
0003899838.tif 000021